(57)【要約】  触媒床形成のような粒体床再形成作業計画の補助のための装置は、フレーム、無限軌道型駆動装置、タレット及びブームを備え、ブームはブームをタレットに対して動かすためのアクチュエータを有する。ブームは、一端に真空源に取り付けるための開口があり、他端に粒体床から触媒粒体を吸引するための開口がある、中空管を有する。装置はコントローラから遠隔操作できる。装置は、粒体床にアクセスでき、触媒を損なわずに触媒上で作業できるほど小型かつ軽量である。装置の使用により、再形成段階のために反応炉容器内に人間を入れる必要が排除されるか、または大幅に軽減される。
2007501122.tif 000002
【特許請求の範囲】
【請求項１】
粒体床の再形成に使用するための形成装置であって、
フレーム、
粒体床上で前記フレームを推進するための前記フレームに支持された駆動手段、
前記床に接するための、前記駆動手段によって作動させられる牽引手段、
前記フレームに対する回転のための前記フレームに取り付けられたタレット、
前記タレットの周りの回転のための前記タレットに取り付けられたブーム手段、及び
前記タレットに対する前記ブーム手段の仰角を調節するための前記タレットに取り付けられたアクチュエータ、
を備えることを特徴とする装置。
【請求項２】
圧潰しやすい触媒粒体を有する粒体床の再構成に用いるための形成装置であって、
フレーム、
粒体床上で前記フレームを推進するための前記フレームに支持された駆動手段、
前記床に接するための、前記駆動手段によって作動させられる牽引手段、
前記フレームに対する回転のための前記フレームに取り付けられたタレット、
前記タレットの周りの回転のための前記タレットに取り付けられたブーム手段、及び
前記タレットに対する前記ブーム手段の仰角を調節するための前記タレットに取り付けられたアクチュエータ、
を備え、
前記牽引手段は前記粒体を圧潰させずに前記床上に前記装置を支持するに十分な表面積を有することを特徴とする装置。
【請求項３】
前記牽引手段が少なくとも１つの無限軌道を有することを特徴とする請求項１または２に記載の装置。
【請求項４】
前記牽引手段が少なくとも２つの無限軌道を有することを特徴とする請求項３に記載の装置。
【請求項５】
前記装置が操縦手段を備えることを特徴とする請求項１から４のいずれか１項に記載の装置。
【請求項６】
前記操縦手段が、前記装置のスキッド操作が可能であるように、前記無限軌道のそれぞれに対して個別の駆動手段を有することを特徴とする請求項５に記載の装置。
【請求項７】
前記駆動手段が前記フレームに取り付けられた少なくとも１つの駆動モーターを有することを特徴とする請求項１から６のいずれか１項に記載の装置。
【請求項８】
前記装置が前記フレームに対して前記タレットを回転させるためのタレット回転手段を備えることを特徴とする請求項１から７のいずれか１項に記載の装置。
【請求項９】
前記装置が前記床を照明するための照明手段を備えることを特徴とする請求項１から８のいずれか１項に記載の装置。
【請求項１０】
前記装置が、前記駆動手段、前記操縦手段、前記タレット回転手段及び前記アクチュエータを操作するための遠隔制御手段を備えることを特徴とする請求項１から９のいずれか１項に記載の装置。
【請求項１１】
前記装置がカメラ手段を備えることを特徴とする請求項１から１０のいずれか１項に記載の装置。
【請求項１２】
前記装置が前記フレームから前記遠隔制御手段まで延びる臍の緒コードを備えることを特徴とする請求項１０に記載の装置。
【請求項１３】
前記ブームが第１及び第２の端部を有する中空コンジットを含むことを特徴とする請求項１から１２のいずれか１項に記載の装置。
【請求項１４】
前記ブームが、吸引口を前記第１の端部に有し、前記第２の端部を真空圧源に取り付けるための連結手段を前記第２の端部に有することを特徴とする請求項１３に記載の装置。
【請求項１５】
反応容器内に収められた粒体床から前記反応容器内で人間を働かせずに圧潰性触媒を取り出すためのプロセスであって、請求項１から１４のいずれか１項に記載の形成装置を提供する工程、前記ブーム手段を工業用真空源に接続する工程、前記装置を前記床上に置く工程、前記装置を前記床から離れた位置から制御する工程、前記床上で前記装置を移動させる工程、及び前記ブーム手段を介して前記床から前記粒体を真空吸引する工程を含むことを特徴とするプロセス。
【発明の詳細な説明】
【技術分野】
【０００１】
本発明は触媒を触媒床から取り出すためのプロセス及び装置に関する。
【背景技術】
【０００２】
大きな酸プラントまたは化学肥料プラントの容器内で製造プロセス中に生成物を取り出すかまたは不純物を除去するために触媒が用いられる。触媒の寿命のある時点において、触媒粒には触媒が引き付けることができる全ての物質が引き付けられるが、これらの物質は触媒粒から取り除かく必要がある。触媒から物質を取り除くためには、篩分けとして知られるプロセスが必要である。篩分けとは、粉末または薄片の形態であり得る物質を取り除くために触媒粒を機械的に揺動または振動させることである。篩分け後、粉末及び薄片は廃棄処分となり、清浄化された再生触媒は再使用のために容器に戻される。
【０００３】
酸プラント容器内で用いられるものなど、そのような触媒が用いられる容器は直径が１５フィート（４.５７ｍ）以上の比較的大きな縦型容器である。触媒は水平層として配置することができ、容器はいくつかの床を有することができ、触媒床内にはいくつかの異なる層があり得る。篩分けプロセスを行うため、触媒は容器内の床から手で取り出され、別の場所で篩分けされる。篩分けされた触媒は次いで容器内に戻される。これらの容器は比較的高い温度で運転され、停止直後には防護されていない人間が容器に入ることができないほど熱い。容器は高温で運転されるから、通常、作業員は容器が冷えるまで容器に入れない。
【０００４】
多くの場合、隣り合う床の間の容器領域への入口は比較的狭い。多くの場合、アクセスハッチすなわち開口は２〜３フィート（０.６１〜０.９１ｍ）四方程度であろう。例外的な場合には、アクセス開口が４フィート（１.２２ｍ）×３フィート（０.９１ｍ）程度と大きい場合もある。そのような開口の寸法では、人間が開口を通り抜けることは可能であろうが、容器内でのいかなるタイプの既存の動力装置の使用も不便になる。
【０００５】
容器が高温で運転されている場合、人間が容器内に入ることができる温度まで容器を冷却させなければならない。冷却手段が備えられた完全密閉防護服で人間が防護されていれば、人間は高温の容器に入ることができる。しかし、容器内に入ってしまうと、作業者は手持ち工具で触媒を取り出す仕事を開始しなければならない。そのような保護服を着用して狭い空間を動き回りながらそのような仕事を行うことは困難である。
【０００６】
容器がより低温で運転される、別の場合もある。しかし、より低い温度がプロセスに用いられる場合であっても、アクセスの制限はそのままであり、いずれにせよ容器は健康を害するガスで満たされている。したがって、容器がより低い温度で運転されていても、容器に入る人間は保護服を着なければならず、容器内に見られる危険な状態に対する保護のために呼吸空気供給装置が備えられなければならない。
【発明の開示】
【発明が解決しようとする課題】
【０００７】
したがって、反応容器から触媒を取り出すために、容器内に入ることができ、そのような容器内において触媒床上で作業することができ、しかも取出し中に触媒を損傷させない装置が開発されれば、有益であろう。
【課題を解決するための手段】
【０００８】
本発明は触媒床から触媒を取り出すための装置及び方法を提供する。簡単にいえば、本装置はフレームを備え、本装置は粒体触媒床上でフレームを推進するためのフレームに支持される駆動手段を備える。本装置は、駆動手段によって作動される、床に接するための牽引手段を有する。本装置はフレーム上に取り付けられたタレットを備え、タレットはフレームに対して相対回転する。本装置は、タレットの回転のための、タレットに取り付けられたブーム及び、タレットに対するブームの仰角を調節するための、タレットに取り付けられたアクチュエータを備える。
【０００９】
本発明の一態様にしたがえば、本発明は粒体床の再形成に使用するための形成装置を含む。本形成装置は、フレーム、粒体床上でフレームを推進するためのフレームに支持された駆動手段、床に接するための駆動手段によって作動される牽引手段、フレームに対する回転のためのフレームに取り付けられたタレット、タレットの周りの回転のためのタレットに取り付けられたブーム手段、及びタレットに対するブーム手段の仰角を制御するためのタレットに取り付けられたアクチュエータを備える。
【００１０】
本発明の別の態様にしたがえば、本発明は、反応容器内での人間の活動を必要とせずに、反応容器内に収められた粒体床から圧潰性触媒を取り出すためのプロセスを含む。本プロセスは、上に概要を示したような形成装置を提供する工程、ブーム手段を工業用真空源に接続する工程、装置を触媒床上に置く工程、触媒床から離れた位置から装置を制御する工程、触媒床上で装置を移動させる工程、及びブーム手段を介して触媒床から粒体を真空吸引する工程を含む。
【００１１】
本発明の好ましい実施形態にしたがえば、装置は、触媒床が室温まで冷却される前に再生されるべき触媒床において装置を使用できるように、高温において燃焼しやすい作動液またはその他の物質を使用せずに装置の様々な部品の動きを制御するための機械的作動機を備える。本発明の特に好ましい実施形態において、本装置の作動構造は、好ましくは２００°Ｆ（９３.３℃）より高く、さらに好ましくは３００°Ｆ（１４８.９℃）より高い高温において装置を使用することができるような構造である。
【００１２】
本発明の別の態様にしたがえば、本発明は、圧潰しやすい触媒粒体を有する粒体床の再形成に使用するための形成装置を含む。本装置は、フレーム、粒体床上でフレームを推進するためのフレーム上に支持された駆動手段、粒体床に接するための駆動手段によって作動される牽引手段、フレームに対する回転のためのフレームに取り付けられたタレット、タレットの周りの回転のためのタレットに取り付けられたブーム手段及びタレットに対するブーム手段の仰角を調節するためのタレットに取り付けられたアクチュエータを備え、牽引手段は粒体を圧潰することなく触媒床上に本装置を支持するに十分な表面積を有する。
【発明を実施するための最良の形態】
【００１３】
装置１０が保護カバーを外した状態の斜視図で図１に示されている。装置１０は、フレーム１２，全体として参照数字１４で示される駆動手段、牽引手段１６，タレット１８，ブーム手段２０及びアクチュエータ２２を備える。
【００１４】
駆動手段１４は一対の電気モーター３０及び一対の変速機３２を有する。それぞれの変速機はその上に駆動スプロケット３４が配置された出力シャフトを有し、駆動スプロケットの内の１つが図１に示される。それぞれの場合において、駆動スプロケットはチェーン３６を駆動する。チェーンは続いて駆動シャフト４２に取り付けられた駆動スプロケット４０を駆動する（図９参照）。駆動シャフト４２は駆動ホイール４４に動力を伝達する。駆動ホイールは受けフレーム５０に取り付けられる。受けフレーム５０には前アイドラーホイール５２も取り付けられる（図4参照）。装置１０には再形成プロセスのために粒体床に接するための牽引手段が設けられている。牽引手段１６は一対の無限軌道６０を備える。
【００１５】
装置１０は、粒体床に対する無限軌道６０の力によって、再形成されるべき粒体床の上に支持される。装置は、以下でさらに十分に論じられるようにアクセス目的に合うように小さく保たれ、２つの無限軌道６０によって与えられる接触面積により、装置が粒体床上を動き回るときに粒体床の構成要素を損傷させずにおくに十分に軽量でもある。装置には２つの電気モーター３０の使用によって前後方向への動力が供給される。都合のよいことに、電気モーターは分数馬力ＤＣモーターとすることができる。特に有用なモーターは９０ボルトで動作する６分の１馬力（１２４Ｗ）ＤＣモーターである。十分なトルクを与えるため、変速機３２はかなりの減速比を有することができる。特定の実施形態において、上掲のモーターの高回転速度を調節して、駆動ホイール４４及び無限軌道６０を駆動するに適するトルクを与えるため、減速比は３７７対１である。操縦はスキッド操作によって得られる。すなわち、２つのモーター３０は、ジョイスティックコントロールによるなど、独立制御できる。したがって、２つのモーターの相異なる速度が無限軌道の差動運動を与えることによって装置を操縦できる。一方のモーターを逆進動作させながら他方のモーターを前進動作させて、おそらくは装置自体の長さの範囲内で装置を方向転換させることができる。そのようなスキッド操作の間に粒体床の材料に損傷が生じないことを保証するため、無限軌道は十分に小さい接触圧を与えるに十分な幅及び長さを有し、よって損傷はおこらない。さらに、それぞれの無限軌道６０を駆動ホイール４４及びアイドラーホイール５２の上に支持するため、駆動ホイール４４及びアイドラーホイール５２のいずれにも横方向に突き出す支持体を設けることができる。この支持体は無限軌道を所定の位置に維持するために役立ち、駆動ホイール４４及びアイドラーホイール５２のそれぞれによって運ばれる重量を無限軌道６０の表面にわたって分散させるために役立つ。無限軌道６０には開口６４の列を設けることもできる。開口６４は駆動ホイール４４上の耳状突起６６によって駆動される。同様の耳状突起６８がアイドラーホイール５２上に設けられる。
【００１６】
装置１０のフレーム１２は、ベアリングによってフレーム１２上に支持されるタレット１８を備える。ベアリングは、タレットがフレーム１２の総平面に垂直な軸の周りで回転できるように、フレーム１２の総平面に垂直な方向に配置される。使用時、この回転面は装置が作業している粒体床の表面に実質的に平行となる。タレットの動きを制御するため、装置１０はフレーム１２に取り付けられたタレットモーター７０を備える（図９参照）。タレットモーター７０はタレット駆動スプロケット７２に取り付けられた車軸を有する。タレット駆動スプロケット７２はチェーン７４を駆動する。チェーン７４は続いて、タレット７２の下側に取り付けられた、図示されていないタレットスプロケットに取り付けられる。したがって、タレットモーター７０の作動の結果、フレームに対してタレット１８が回転する。
【００１７】
再形成装置１０はブーム手段２０を備える。ブーム手段２０は中空管状部材からなり、入口端８０及び出口端８２を有する。ブーム部材２０は入口端８０から出力端８２にかけて真空吸引路を形成する。ブーム部材２０は利用できる真空装置に合う寸法につくられることが有利であり、直径４〜６インチ（１０.２〜１５.２ｃｍ）とすることもできる。ブーム部材の直径は粒体床の材料を収容するための寸法にもつくられなければならない。使用時、粒体床材料は入口端８０に引き込まれ、ブーム２０を通過して、出口端８２を通って出る。使用時、出力端８０は真空配管に取り付けられる。真空配管は図面に示されていない。真空配管は、再形成されるべき粒体床を収める施設に隣接して駐車させることができる大馬力真空トラックのような工業用真空源に取り付けられることになろう。
【００１８】
ブーム部材２０の長さは、粒体床の粒体材料が入口端８０に引き込まれ得るように、入力端８０が少なくとも無限軌道６０の底面まで低く下げられ得るように選ばれる。ブーム手段２０を粒体床の粒体材料と接することができる下げられた位置からより高い位置における輸送または作業のための上方の位置まで動かすため、ブーム手段はブーム支持部材８６に支持される。ブーム支持部材８６はＵ字型ブラケットまたは一対のブラケットとすることができる。いずれの場合にも、ブーム支持部材８６はタレット１８に取り付けられたプレート８８にピン８４で留められる。ピン８４により、タレット１８の面に平行なピボット軸が与えられる。ピン８４のピボット軸の周りでブーム部材２０をピボット運動させるため、装置１０にアクチュエータ２２が備えられる。アクチュエータ２２は電気モーター２６によって駆動されるラム２４を有する。ラム２４は一端でブーム支持部材８６にピンで留められ、タレット１８上に取り付けられたタレットブラケット９０にピンで留められる。モーター２６の作動がラム２４の延びを生じさせ、よってブーム支持部材８６及びブーム手段２０をピン８４の周りでピボット運動させる。
【００１９】
図５に示されるように、ブーム手段２０は、アクセス開口から粒体床上への初期輸送の間、前方に向けられる。図６及び７の上面図に示されるように、タレットモーター７０の作動により、ブーム手段２０を動かして図５に示される位置の左右のいずれにも延ばすことができる。回転の大きさは、所望に応じる広い扇形作業域をブームが有するように選ぶことができる。扇形域は１８０°もの広さにすることができる。図８に示されるように、ブームがタレット面において所望の角度まで回転されると、ブームは次いで、ブーム手段２０に引き込まれるべき材料にブーム２０の入口開口８０が接するようにアクチュエータ２２を用いて上下させることができる。
【００２０】
一般に、本装置は酸プラントの触媒床におけるような比較的狭い領域で用いることができる。酸プラントは大きな金属精錬工場の排出ガスからのイオウ放出を低減するために用いられる比較的大きな施設である。排出ガスはある成分のガスからの除去に役立つ酸床を通される。除去プロセスは、一部は、施設内の床に配置された触媒が関わっておこる化学反応である。代表的な触媒は酸化バナジウムである。触媒は、直径が約１インチ（２５.４ｍｍ）程度とすることができるペレットまたはリングの形態にある。多くの場合、そのような床は、床の支持構造体に接する下層を有し、活性触媒を覆うオーバーレイ層を有することができ、いずれの層も直径が１〜２インチ（２５.４〜５０.８ｍｍ）の岩石または塊の形態にあり得る。そのような床は全て直径が４０ないし５０フィート（１２.２ないし１５.２ｍ）であるかまたはそれより大きくなることがあり、通常、床へのアクセスは比較的に制限されている。床の稼働時に、床は冶金プロセスからの煙道ガスを扱っているから、床は４００℃、５００℃または６００℃程度の非常に高い温度で稼働し得る。床の再生が必要になると、触媒は床から取り出され、篩分けプロセスに通される。清浄化された触媒は次いで床に再装填され、再び使用される。床から触媒を取り出し、触媒を篩分けプロセスにかけるため、触媒が床から取り出される。これは、適当な真空によって触媒をブーム手段内に真空吸引し、吸引ホースを通過させて触媒を捕らえることによって達成され、捕らえられた触媒は次いで篩分けすることができる。
【００２１】
装置１０は、装置の使用が可能になるレベルまで床内の温度が下がったときに用いられる。様々な金属学的理由及びその他の理由のため、排気ガスを放出するタイプの燃焼機関の使用、あるいは、本装置の使用の間はまだ極めて熱い状態にあり得る、そのような反応炉へのいずれか種類の燃料の導入は、一般にどのようなものも容認できない。同様に、高温動作を提供するため、床に作動液を導入することは一般にそのような触媒床施設の所有者及び運営者に容認され得ない。したがって、好ましい動力手段は電気モーターである。好ましい動力手段は電気モーターの使用を含むが、本装置のいくつかまたは全ては空気圧装置を含むことができる。特定の例として、望ましければ、ラム２４は空気圧ラムとすることができる。そのような場合、そのような部品を作動させるための圧縮空気源が装置に備えられる。
【００２２】
移動可能装置の駆動制御にも、上に論じた部品の角度関係の調節にも電気モーターが用いられるので、移動可能装置にオンボード電池電力を与えることが可能であろう。しかし、高温雰囲気内に電池を導入しないため及び自走型装置の重量を最小限に抑えるための、自走型装置に好ましい電力源は臍の緒コード１００である（図１参照）。すなわち、この臍の緒コード１００は上述したモーターのそれぞれに電力を与えるに適する電流を供給する。また、臍の緒コードはモーターの動作を制御するための制御ケーブルを備える。全てのモーターは、装置を遠隔操縦できるように、ジョイスティック等の適切な制御手段によって制御することができる。
【００２３】
さらに、装置１０の遠隔操縦を容易にするため、装置１０はカメラ手段１１０を備える。カメラ手段１１０は、操作員が装置の位置及び入口端８０に触媒を引き込むためのブーム手段２０の位置を調節できるように、装置前方の所望の扇形作業域を見る方向に向けられる。さらに、視認を容易にするため、装置１０は照明手段１１２を備える。照明手段は扇形作業域を適当に照明するように配置された１つまたはそれより多くの高温灯を有することができる。
【００２４】
図１においては、フレーム１２に取り付けられた様々な部品を覆うカバーなしで装置が示されている。図２に示されるように、駆動モーター、変速機及び駆動スプロケット３４は全て保護カバー１２０内に囲い込まれる。装置は粒体材料の床を動き回るから、粒体床の構成要素のいくらかが無限軌道６０の内側面または駆動面に付着ことがある。したがって、無限軌道６０の内側面上への粒体材料の付着可能性を低めるため、無限軌道６０は１つまたはそれより多くの偏向手段１３０を備えることが好ましい。
【００２５】
多くの大規模金属精錬プロセスはかなりの量の塵埃を発生する。多くのそのような施設には、工業用真空掃除機を搭載した大型車両がある。本発明の好ましい動作態様は、再生されるべき粒体床へのアクセス用の穴または扉のできる限り便宜のよい近くにそのような真空トラックを駐車させることである。ホースが真空トラックから出口端８２に誘導される。施設の停止後、施設が装置１０の稼働に適する温度に達したときに、装置１０にアクセス用の扉を通過させる。そのようなアクセス用の扉には４フィート（１.２１ｍ）×６フィート（１.８３ｍ）もの大きさに達するものもあるが、多くは２フィート（６１ｃｍ）より大きくはない。図９において、円‘Ｒ’は縮尺した２４インチ（６１ｃｍ）の直径を示す円である。図示されるように、同じ縮尺で表された装置１０は実質的に円‘Ｒ’内に収まり、２フィート×２フィート（６１ｃｍ×６１ｃｍ）かまたはそれより大きい寸法を有する長方形開口を装置が通過できることを示す。次いで操作員がアクセス用の穴の傍に立つことになろう。操作員は装置のための制御コンソールをもち、装置が触媒床に入って触媒取出しプロセスを開始するように装置に指示することになろう。熱及び材料の有害性のため、ほとんどの状況において、防護服の着用と呼吸用酸素の供給が操作員に必要となるであろう。しかし、操作員はタンクの外にとどまることができ、アクセス用の穴を通しての直視とコンソール上に再生されるであろうカメラ映像の監視の組合せによって装置を操作できる。次いで、触媒及び／または所望に応じて保護層または支持層を真空で吸い上げることによって触媒取出しを達成することができる。
【００２６】
すなわち、本発明の装置により、比較的狭い領域で稼働することができ、装置作動中に装置下にある触媒を損傷させないような十分な支持面積を有する、装置が提供される。触媒はブーム手段を介して取り出される。装置は冷房服を必要とせずに作業者が作業できる温度より高温で作業することができ、狭い空間で作業することができるから、装置は、粒体床再形成プロセスの取出し段階の間にいかなる作業者も容器内に入る必要も有効に軽減し、あるいはそのような必要を完全に排除できる。
【００２７】
本明細書に論じられた装置は主として触媒床からの触媒の取出しに関して論じられたが、本装置はその他の触媒床作業においても有用である。そのような触媒床には時々保守が必要になる。保守には、触媒床からの触媒取出しは必要としないが、ある種の触媒床への手入れが必要になり得る。すなわち、触媒床のかきならしが保守に必要となり得る状況がある。本明細書に説明される装置はそのようなかきならし作業の実行に特に適している。かきならし作業に用いられる場合、叉を備えた適切な工具を装置の入力端８０に嵌め合せることができる。次いで装置上の様々なモーターを用いることにより、この中間触媒床保守プログラムを実施するために触媒床をかきならすことができる。通常、触媒床に関するそのような中間保守プログラムは触媒床が高温にある間に実施されるであろう。触媒床のかきならしが人間によって実施されなければならない場合、触媒床管理者は、触媒床が冷えて普通の人間が触媒床内で作業できるようになるまで待つか、あるいは特に高価で窮屈な高温作業服を作業者に着させなければならないかという選択に直面する。本明細書に説明されるような形成装置は、形成装置には無害であろうが、そのような手厚い防護なしに人間が耐え得る温度よりずっと高い温度まで触媒床が冷えた時点で利用できる。同じく、そのような中間保守は、本装置の遠隔操縦能力のため、装置に搭載されたカメラ及び照明装置及び／またはアクセス口を通して利用できるようなその他の視認機会を用いて、遠隔操縦コンソールから操作員によって実施されるであろう。
【００２８】
本明細書に説明される形成装置の別の用途には、触媒が再生された後の触媒床の再形成がある。一般に、触媒床の再形成段階において、触媒床を収める施設は室温に近い比較的低い温度まで十分に冷却されているであろう。しかし、触媒床を収めている領域に作業者が入ることを必要とし、おそらくは触媒床を損傷させる代わりに、本発明にしたがう装置を粒体材料を触媒床に再装填するために用いることもできる。粒体材料は損傷を比較的受けやすいから、材料は比較的緩やかに再装填されなければならない。これは、この場合は吸引コンジットとしてではなく配送コンジットとして、ブームを用いることによって有効に達成することができる。そのような状況において、若干の圧力の下で触媒及び同様の粒体を配送できるホースをコンジットの出口端８２に接続することができる。次いで触媒がブーム２０に供給され、上述した入口端８０でブームを出るであろう。形成装置を操作することにより、触媒床の全面にわたって触媒を触媒床に敷き詰めることができる。次いで、触媒床を再形成するためにかきならしがさらに必要であれば、触媒再生後の触媒床の再形成に役立つ、中間保守に関して上で説明したような工具を入口端８０に取り付けることができる。
【００２９】
すなわち、上で論じた装置が多くの実用機能を有することがわかるであろう。本装置は、装置が粒体を損傷させずに粒体床を動き回ることができるに十分に広い支持面積を有する無限軌道に支持される。さらに、本装置は、他では人間の居住に適さないであろう条件の下で使用できる材料で構成することができるから、高温で使用でき、よって、室温までの冷却が完了する前に工業施設へのアクセスを提供できる。このことは、触媒再生の開始を早めるに役立ち、よって、そうでなければ、施設が室温まで冷却されてからでなくては触媒床再生を開始できないために必要となる、ダウンタイムの最短化に役立つ。
【００３０】
本明細書に説明した形成装置には様々なその他の改変及び変更がなされ得る。そのような修正及び改変の全ては、添付される特許請求の範囲で定められる本発明の範囲内にあると見なされるべきである。
【図面の簡単な説明】
【００３１】
【図１】本発明の第１の実施形態にしたがって製造された形成装置の斜視図である
【図２】図１の実施形態の図１と同様であるが、所定の位置に保護カバーがつけられている図である
【図３】図１に示した装置の側面図である
【図４】図３と同様の、ただし部品の１つの角度調節を示す、側面図である
【図５】図１に示した装置の上面図である
【図６】図５と同様の、ただし部品の１つの角度調節を示す、上面図である
【図７】図６と同様の、ただし逆方向での調節を示す、図である
【図８】図２と同様の、ただし部品の１つが水平面及び垂直面のいずれにおいても角度が調節されて示される、斜視図である
【図９】図２に示される装置の後面図である
【符号の説明】
【００３２】
１０    装置
１２    フレーム
１４    駆動手段
１６    牽引手段
１８    タレット
２０    ブーム手段
２２    アクチュエータ
６０    無限軌道
８０    入口端
８２    出口端
１００    臍の緒コード
１１０    カメラ手段
１１２    照明手段
１２０    保護カバー
１３０    偏向手段
【図１】
2007501122.tif 000003
【図２】
2007501122.tif 000004
【図３】
2007501122.tif 000005
【図４】
2007501122.tif 000006
【図５】
2007501122.tif 000007
【図６】
2007501122.tif 000008
【図７】
2007501122.tif 000009
【図８】
2007501122.tif 000010
【図９】
2007501122.tif 000011
【国際調査報告】
2007501122.tif 000012
2007501122.tif 000013